(57)【要約】  ワイヤレス通信装置はＣＤＭＡ信号を受信し、サイト選択ダイバーシティ転送（ＳＳＤＴ）モードで遠隔の基地局と通信をする。主基地局との通信中に、信号対干渉比（ＳＩＲ）の目標値および搬送周波数の推定のような通信状態パラメータは、稼動基地局セットにおける他の基地局のために維持される。選択された基地局と通信するための状態パラメータは、新しい基地局の選択の後に利用可能となる。ある実施例において、通信状態パラメータは、稼動セットから基地を選択するために使用される。
2005513857.tif 000002
【特許請求の範囲】
【請求項１】
稼動中の基地局のセットのうち少なくともいくつかの基地局のために通信状態パラメータを維持する段階と、
状態パラメータが維持されている前記稼動中のセットから選択された基地局へ通信を転送するとき、前記選択された基地局のために維持された前記状態パラメータで通信するために使用される前記状態パラメータを更新する段階と、
を含むことを特徴とする通信する方法。
【請求項２】
主基地局との通信中に、前記稼動中のセットの基地局のために搬送周波数推定を維持する段階と、
前記選択された基地局へ通信を転送する段階は、前記選択された基地局のために維持された前記搬送周波数推定を使用して、前記選択された基地局との通信のための搬送周波数を修正する段階を含むことを特徴とする請求項１記載の通信する方法。
【請求項３】
前記通信状態パラメータを維持する段階は、前記稼動中のセットにおける前記基地局の各々に対する信号対干渉比（ＳＩＲ）の目標値を維持する段階を含むことを特徴とする請求項１記載の方法。
【請求項４】
前記選択された基地局と通信するために前記ＳＩＲ目標値を使用する段階をさらに含むことを特徴とする請求項３記載の方法。
【請求項５】
前記稼動中のセットから選択された基地局へ通信を転送した後に、前記方法は、前記選択された基地局のために維持された前記ＳＩＲ目標の推定を使用し、前記選択された基地局へ送る電力制御メッセージを生成する段階をさらに含むことを特徴とする請求項３記載の方法。
【請求項６】
前記稼動中のセットの前記主基地局と通信を行なっている間、前記方法は、
前記選択された基地局が通信を転送するために選択された後、前記稼動中のセットから前記選択された基地局の前記通信状態パラメータを更新する段階と、
他の基地局の前記状態パラメータをさらに更新することを差し控える段階と、
を含むことを特徴とする請求項１記載の方法。
【請求項７】
前記通信状態パラメータを維持する段階は、主基地局との通信中、前記稼動中のセットの基地局のための前記通信状態パラメータを一定にする段階、および選択された基地局が選択されるとき、前記選択された基地局の前記通信状態パラメータを更新する段階を含むことを特徴とする請求項１記載の方法。
【請求項８】
前記通信状態パラメータを維持する段階は、主基地局との通信中、前記稼動中のセットの１を越える基地局のための前記通信状態パラメータを更新する段階を含むことを特徴とする請求項１記載の方法。
【請求項９】
前記ＳＩＲ目標値に基づいて通信を転送するために前記稼動中のセットから基地局を選択する段階をさらに含むことを特徴とする請求項３記載の方法。
【請求項１０】
前記稼動中のセットの基地局のためのパイロット・チャンネルの電力レベル測定にさらに基づいて、通信を転送するために前記稼動中のセットから前記基地局を選択する段階をさらに含むことを特徴とする請求項９記載の方法。
【請求項１１】
主基地局との通信中、前記方法は、
現在のダウンリンク・チャンネルのために、測定されたチャンネル・パラメータからＳＩＲ目標を生成する段階と、
現在のダウンリンク・チャンネルのために、測定されたチャンネル・パラメータからＳＩＲ推定を生成する段階と、
前記ＳＩＲ推定に前記ＳＩＲ目標を結合し、前記主基地局への送信のための電力制御メッセージを生成する段階と、をさらに含み、
前記現在のダウンリンク・チャンネルは、符号分割多元接続（ＣＤＭＡ）ダウンリンク・チャンネルまたは広帯域ＣＤＭＡ（ＷＢＣＤＭＡ）ダウンリンク・チャンネルのいずれかであることを特徴とする請求項１記載の通信する方法。
【請求項１２】
誤り率情報から決定された修正係数で修正する前記ＳＩＲ目標を修正する段階をさらに含み、結合する段階は、前記ＳＩＲ推定を前記修正されたＳＩＲ目標と結合し、前記電力制御メッセージを生成する段階をさらに含むことを特徴とする請求項１１記載の方法。
【請求項１３】
前記方法は、サイト選択ダイバーシティ転送（ＳＳＤＴ）モードで動作する移動局によって実行されることを特徴とする請求項１記載の方法。
【請求項１４】
稼動中のセットの基地局のために維持された通信状態パラメータを格納するメモリと、
通信を転送するために選択された前記稼動中のセットの前記基地局のうちの１つと通信するための前記通信状態パラメータを使用する受信機と、
を含むことを特徴とする通信装置。
【請求項１５】
主基地局との通信中に、前記稼動中のセットの前記基地局のために搬送周波数のオフセット推定を推定する搬送周波数推定器と、
前記稼動中のセットから選択された基地局へ通信を転送するとき、前記選択された基地局のために維持された前記搬送周波数推定を使用して、前記選択された基地局と通信するための搬送周波数を修正する搬送周波数修正ユニットと、
を含むことを特徴とする請求項１４記載の通信装置。
【請求項１６】
前記受信機は前記稼動中のセットの前記基地局のために信号対干渉比（ＳＩＲ）目標値を維持するＳＩＲ目標生成器を含み、そのＳＩＲ目標値は前記選択された基地局との通信に使用されることを特徴とする請求項１４記載の装置。
【請求項１７】
前記受信機はメッセージ生成器をさらに含み、前記メッセージ生成器は、前記稼動中のセットから選択された基地局へ通信を転送した後に、前記選択された基地局のために維持された前記ＳＩＲ推定を使用し、前記選択された基地局へ送るための電力制御メッセージを生成することを特徴とする請求項１４記載の装置。
【請求項１８】
前記稼動中のセットの前記主基地局との通信中に、前記受信機は、前記選択された基地局が通信の転送のために選択された後、前記稼動中のセットから選択された基地局の前記通信状態パラメータを更新し、前記更新された通信状態パラメータを使用して通信を転送した後に、前記選択された基地局と通信することを特徴とする請求項１４記載の装置。
【請求項１９】
前記受信機は、主基地局との通信中に、前記稼動中のセットの基地局のために前記通信状態パラメータを一度更新し、通信の転送のために選択された前記稼動中のセットの基地局のために前記通信状態パラメータの２回目の更新をすることを特徴とする請求項１４記載の装置。
【請求項２０】
主基地局との通信中に、前記受信機は、前記稼動中のセットの１を越える基地局のための前記通信状態パラメータを更新することを特徴とする請求項１４記載の装置。
【請求項２１】
前記受信機は、前記ＳＩＲ目標値に基づき、かつ前記稼動中のセットの基地局のためのパイロット・チャンネルの電力レベル測定に基づいて、通信の転送のために、前記稼動中のセットから基地局を選択することを特徴とする請求項１６記載の装置。
【請求項２２】
主基地局からの通信を受信するダイポール・アンテナと、
前記主基地局との通信チャンネルのためのチャンネル推定を生成し、かつ稼動中の基地局のセットの基地局とのチャンネルのためのチャンネル推定を生成するチャンネル推定器と、
前記主基地局との前記チャンネル、および前記稼動中のセットの前記基地局との前記チャンネルのためのＳＩＲ目標値を生成する信号対干渉比（ＳＩＲ）目標生成器と、
現在のチャンネルのためのチャンネル推定に基づいてＳＩＲ推定を生成するＳＩＲ推定器と、
前記ＳＩＲ目標値に基づいて通信を転送するために、前記稼動中のセットから基地局を選択する基地局選択ユニットと、を含み、
前記主基地局との通信中に、前記ＳＩＲ目標値は前記稼動中のセットの基地局のために維持され、また、前記稼動中のセットにおける他の基地局の１つへ通信を転送するとき、前記他の基地局の前記ＳＩＲ推定は通信を転送した後に前記他の基地局との通信のために使用されることを特徴とする通信システム。
【請求項２３】
主基地局との通信中に、前記稼動中のセットにおける他の基地局のための搬送周波数推定を維持し、かつ前記稼動中のセットの前記他の基地局の１つへ通信を転送するとき、前記他の基地局のために前記搬送周波数推定を使用して、前記他の基地局の搬送周波数を修正する搬送周波数修正ユニットをさらに含むことを特徴とする請求項２２記載のシステム。
【請求項２４】
前記現在のチャンネルに対する前記ＳＩＲ推定および前記現在のチャンネルに対する前記ＳＩＲ目標値に基づいて電力制御メッセージを生成するメッセージ生成器推定を含み、通信を転送した後の前記現在のチャンネルは通信を転送するための前記稼動中のセットからのチャンネルであることを特徴とする請求項２３記載のシステム。
【請求項２５】
命令をその上に格納する記憶媒体を含む物品であって、計算機プラットホームによって実行されたとき、サイト選択ダイバーシティ転送（ＳＳＤＴ）モードで遠隔の基地局と通信を行ない、ここで前記命令は、
稼動中のセットの基地局のための通信状態パラメータを維持し、
通信を転送するために選択された前記稼動中のセットの前記基地局の１つと通信するための前記通信状態パラメータを使用する、
ことを特徴とする物品。
【請求項２６】
前記デジタル計算機プラットホームによってさらに実行されたとき、前記命令は、
主基地局との通信中に、前記稼動中のセットの基地局のための搬送周波数推定を維持し、
前記稼動中のセットから選択された基地局へ通信を移すとき、前記選択された基地局のために維持された前記搬送周波数推定を使用して、前記選択された基地局と通信を行うための搬送周波数を修正する、
ことを特徴とする請求項２５記載の物品。
【請求項２７】
前記デジタル計算機プラットホームによってさらに実行されたとき、前記命令は、前記稼動中のセットの基地局に対する信号対干渉比（ＳＩＲ）目標値を維持し、ここで、前記ＳＩＲ目標値は前記選択された基地局と通信するために使用されることを特徴とする請求項２６記載の物品。
【発明の詳細な説明】
【技術分野】
【０００１】
本発明は、ワイヤレス通信に関しいくつかの実施例では、ＣＤＭＡ通信に関し、他の実施例ではサイト選択ダイバーシティ転送（ＳＳＤＴ）モードで動作するワイヤレス通信装置に関係する。
【背景技術】
【０００２】
（関連出願の相互参照）
本出願は、2001年12月17日に出願された米国出願番号10/021,541号で、代理人整理番号884,654us1である「チャンネル状態に基づいて品質測定目標値を生成するための方法および装置」と題する共に継続中の米国出願に基づいて、米国特許法第１２０条により優先権を主張するが、それは現在の出願と同じ譲受人に譲渡され、参考のためにここに組み込まれる。
【０００３】
符号分割多元接続（ＣＤＭＡ）は、例えば、移動体通信を含む多くのアプリケーションに使用されるスペクトラム拡散デジタル通信のための技術である。ＣＤＭＡシステムでは、データ信号は、送信用の符号化信号を形成するために、拡散波形と結合する。受信機では、受信信号は、同様の拡散波形と結合され、データ信号を抽出する。この技術は、信号エネルギーを拡散させることにより高いデータ容量を提供し、帯域幅の利用を増加させ、かつ狭帯域の干渉による影響を低減させる。基地局から受信装置までのワイヤレス・チャンネルは、受信装置の移動により時間遅延が変化するいくつかの異なる経路（パス）を有するので、そのマルチパス効果により同期がより困難になる。
【０００４】
ワイヤレス通信装置（例えば移動局）は、遠隔の基地局とＣＤＭＡ信号をやり取りするが、しばしば通信する基地局を選択するためのサイト選択ダイバーシティ転送（ＳＳＤＴ）モードで動作する。ＳＳＤＴモードに関する問題の１つは、信号対干渉比（ＳＩＲ）推定や周波数推定アルゴリズムのようないくつかのアルゴリズムは、ある基地局から別の基地局へ通信を移すときに生じるチャンネル状態のすばやい変化に迅速に適合することができないということである。これは、特に通信のための新しい主基地局を選択した後に貧弱なパフォーマンスもたらすことになる。
【０００５】
ある特定の領域で問題になるは電力制御である。移動局は、従来と同じように所要の特性水準を維持しながら送信電力を最小限にする電力制御方法を実行する。従来の電力制御方法は、送信電力を制御するために外部ループおよび内部ループを具備する入れ子状態のループ構造を実行する。外部ループでは、受信データのブロック誤り率（ＢＬＥＲ）が監視され、所望のＢＬＥＲと比較される。その後、ＳＩＲ目標がその比較に基づいて受信機のために生成される。内部ループでは、受信信号のために測定されたＳＩＲが、ＳＩＲ目標と比較される。その後、電力制御メッセージが、そのＳＩＲ比較の結果に基づいて（例えば、送信電力の修正が望ましいかどうか示して）送信機への伝送のために生成される。この電力制御技術（および他の類似の方法）に関する問題は、ＢＬＥＲ測定が比較的遅く、したがって、ＳＩＲ目標は、チャンネル状態の変化に迅速に適合することができないことである。理解されているように、チャンネル状態が送信電力の再調整より速く変化するとき、これは低い通信品質をもたらすことになる。
【０００６】
添付された請求項は、本発明の様々な実施例のうちのいくつかを対象にしている。しかしながら、図面に関連して考察するとき、詳細な説明は本発明のより完全な理解を提供するであろう、ここで類似の参照番号は、図面の全体に亘って同様の項目に関連するものである。
【発明の開示】
【０００７】
下記の説明および図面は、当業者が十分に実施できることを可能にするために本発明の特定の実施例を図示する。他の実施例は、構造的、論理的、電気的、プロセス、およびその他の変更を含めるものである。実施例は単に可能なバリエーションの代表例を示す。もし明示的な要求や、動作シーケンスが変更されないなら、個々のコンポーネントおよび機能は選択的である。いくつかの実施例の部分および機能は、他のものに含められ、あるいは取り替えられてもよい。本発明の範囲は、請求項およびそのすべての利用可能な均等な範囲を包含する。
【０００８】
本発明はワイヤレス通信に関するもので、いくつかの実施例では符号分割多元接続（ＣＤＭＡ）通信に関するものであり、他の実施例ではサイト選択ダイバーシティ転送（ＳＳＤＴ）モードで動作するワイヤレス通信装置に関するものである。本発明は、さらに広帯域ＣＤＭＡ（ＷＣＤＭＡ）通信に関する。図１は、本発明の実施例が実施される動作環境を図示する。動作環境１００は、通信チャンネル１１０上で１以上の基地局１０４と通信する移動局１０２を含む。移動局１０２は、ワイヤレス通信システム内で使用されるあらゆる形式の通信装置あるいはサブシステムとして実施され得るが、それは、例えば携帯型の通信機、セルラー基地局の送受信機、衛星アップリンク，ダウンリンクまたはクロスリンク送受信機、地上ワイヤレス・リンク内の送受信機、ローカル・マルチポイント・ディストリビューション・システム（ＬＭＤＳ）またはマルチポイント・マルチチャンネル・ディストリビューション・システム（ＭＭＤＳ）の送受信機、双方向無線機、無線ローカル・エリア・ネットワーク（ＬＡＮｓ）内の送受信機、都市内ネットワーク（ＭＡＮｓ）、広域ネットワーク（ＷＡＮｓ）、ワイヤレス・ローカル・ループ送受信機および他の形式を含む。
【０００９】
動作環境１００は、さらに１以上の反射物体１０８を含み、それは、基地局１０４および移動局１０２によって利用されるスペクトラム内で多重経路（マルチパス）反射および周波数選択性フェージングを引き起こす。動作環境１００は、さらに、基地局１０４および移動局１０２によって利用されるスペクトラム内での干渉を生成する１以上の帯域内妨害装置（ＩＤ）１０６を含む。反射物体１０８および妨害装置１０６により、基地局１０４および移動局１０２はチャンネル・フェージング、マルチパス・コンポーネント、および、基地局と移動局との間の特定の通信路における特有の干渉状態を生起させる。通信チャンネル１１０はワイヤレス通信経路の任意の形式であり、例えば、ＣＤＭＡおよび広帯域ＣＤＭＡ（ＷＣＤＭＡ）通信チャンネルを含む。
【００１０】
本発明の実施例に従って、移動局１０２はＣＤＭＡ信号を受信し、サイト選択ダイバーシティ転送（ＳＳＤＴ）モードで遠隔の基地局１０４と通信する。主基地局との通信中、信号対干渉比（ＳＩＲ）目標のような通信状態パラメータは、稼動中の基地局のセットにおける基地局のために保持される。通信状態パラメータは、稼動中のセットにおける基地局の１つへ通信を移すために使用されてもよい。ある実施例において、通信状態パラメータは、稼動中のセットから１つの基地局を選択するために使用されてもよい。別の実施例では、選択された基地局の通信状態パラメータは、通信を転送した直後に電力制御に使用されてもよい。さらに別の実施例では、通信状態パラメータは、ＳＩＲ目標および／または搬送周波数の推定を含んでもよく、それは主基地局と通信している稼動中の基地局のセットのために維持される。この実施例中で、稼動中の基地局のセットから選択された基地局へ通信を移すとき、ＳＩＲ目標および／またはその選択された基地局のための搬送周波数の修正は、通信を転送した直後に行なわれてもよい。
【００１１】
代替の実施例では、稼動中の基地局のセットのための通信状態パラメータは、この局が通信に選択されるときに、計算される。基地局が通信の転送のために選択されるとき、その選択された基地局用の通信状態パラメータは、通信を転送した後の使用のために更新される。
【００１２】
稼動中の基地局のセットは、通信の転送のために移動局によって認識されるすべての基地局を含む。稼動中の基地局のセットは、移動局が通信することができる本システムのあらゆる基地局を含む。稼動中のセットの基地局は、関連するパイロット・チャンネルの電力レベルの測定から決定される。本発明の一実施例に従って、稼動中のセットの基地局は、チャンネル状態パラメータに基づいて通信を転送するために選択される。これは、単に電力レベルの測定に基づいて通信を転送するために基地局を選択する従来のシステムとは異なる。
【００１３】
従って、改善されたワイヤレス通信が達成される。維持されているＳＩＲ目標および／または搬送周波数推定を基地局選択に使用できるので、より良いエラー特性を有する基地局が通信の転送のために選択される。選択された基地局のために維持されたＳＩＲ目標を使用することにより通信を転送した後に、より速く改善された通信が達成される。更に、搬送周波数のオフセットがその後すばやく修正されるので、通信を転送した後に、より速く改善された通信が達成される。更に、その維持されたＳＩＲ測定に基づくより正確な電力制御メッセージが、選択された基地局へ通信を転送した後にすばやく生成される。
【００１４】
ある実施例において、ＳＩＲ目標の近似値は、複数の信号経路および／または移動局の速度を含むチャンネル条件に基づく。ある実施例において、主基地局は、少なくとも基地局の信号対雑音比（ＳＮＲ）に基づいて選択される。ある実施例において、複数のＳＩＲ目標が維持されてもよい（例えば第１のセットにおける基地局の各々に１つの目標）。代替の実施例では、特定の基地局に対するＳＩＲ目標は、その基地局が主基地局で、主基地局でない基地局のために一定に保持するとき、更新される。ＳＩＲ目標は、専用の物理データ・チャンネル（ＤＰＤＣＨ）、専用の物理管理チャンネル（ＤＰＣＣＨ）および／またはＷＣＤＭＡシステムの共通パイロット・チャンネル（ＣＰＩＣＨ）のような１以上のチャンネルの使用により決定される。あるいは、非主基地局に対するＳＩＲ目標は、特定の基地局によって絶えず送信されるＤＰＣＣＨチャンネルのようなチャンネルを少なくとも部分的に用いて更新される。
【００１５】
図２は、本発明の実施例に従うワイヤレス通信装置（ＷＣＤ）のブロック図である。さらに、ＷＣＤ２００は移動局１０２（図１）としての使用に適しているが、他の装置でもかまわない。ＷＣＤ２００は、広帯域ＣＤＭＡ（ＷＣＤＭＡ）と同様に符号分割多元接続（ＣＤＭＡ）技術を含む様々な通信技術を実施する通信システム内に使用することができる。ＷＣＤ２００は、通信システム内の移動局または基地局の送受信機のいずれかとして実施できる。ＷＣＤ２００が移動局として実施されるとき、受信アンテナ２０２は、１以上の遠隔基地局からのスペクトラム拡散ＣＤＭＡ信号を受信する。逆拡散器２０６は、ＣＤＭＡ逆拡散技術を使用して、１以上の信号を逆拡散する。レーキ受信機２０８は、特定の基地局に関連する様々なマルチパス要素を分離し、その要素をコヒーレントに結合することができる。デコーダ２１２は、生成した信号を復号化する。巡回冗長検査（ＣＲＣ）要素２１４は、ＷＣＤ２００の中にエラー（例えば、ＣＲＣエラーのパーセンテージとして）を検出し量を計るためにデコーダ２１２からの復号化された信号情報を使用する。チャンネル推定器２１０は、対応するチャンネルに対するチャンネル・パラメータを推定するために逆拡散情報を処理する。ＳＩＲ推定器２２４は、チャンネル推定器２１０によって決定されたチャンネル・パラメータを使用して、受信信号のＳＩＲを推定する。従来の技術を含むあらゆる技術が、チャンネル推定からＳＩＲの推定のために適している。
【００１６】
ＳＩＲ目標生成器２１６は、チャンネル推定器２１０からのチャンネル推定およびＣＲＣ要素２１４からのパフォーマンス推定に基づいてＳＩＲ目標を生成する。本発明の実施例は、従来のあらゆるＳＩＲ目標生成技術を使用することができる。本発明の少なくとも１つの実施例は、２００１年１２月１７日に出願され、出願シリアル番号１０／０２１，５４１を有する米国特許出願「チャンネル条件に基づいて品質基準目標値を生成する方法と装置」に説明されたＳＩＲ目標生成アプローチを使用することができ、これは本出願と同じ譲受人に譲渡され、参考のためにここに組み込まれる。本発明の実施例に従って、ＳＩＲ目標生成器２１６は、またチャンネル推定から稼動中のセットのＳＩＲ目標２１７を生成する。稼動中のセットのＳＩＲ目標２１７は、稼動中のセットの基地局のために瞬時のＳＩＲ目標を示す。これは以下詳細に説明される。
【００１７】
ＳＩＲ目標生成器２１６によって生成されたＳＩＲ目標は、比較ユニット２２６においてＳＩＲ推定器２２４によって提供されるＳＩＲ推定と比較される。その後、メッセージ生成器２２８は、その比較結果に基づいて、電力制御メッセージを含むメッセージを生成する。そのメッセージは、送信機２３０および送信アンテナ２３２を用いて、遠隔の基地局へ送信される。ＷＣＤ２００が基地局として実行されるとき、受信アンテナ２０２は、１以上の遠隔の基地局よりむしろ１以上の遠隔のユーザからＣＤＭＡ信号を受信するが、同様のアプローチが使用されてもよい。受信および送信アンテナ２０２，２３２は、送受兼用機能を備えた単一アンテナに置き換えることができる。受信および送信アンテナ２０２，２３２は、ＷＣＤ２００によって使用される周波数を受信し送信するほぼあらゆるタイプのアンテナが適する。さらに、ある実施例において、受信および送信アンテナ２０２，２３２は、単一または個別のダイポール・アンテナのいずれかで構成されてもよいが、他のタイプのアンテナであってもよい。
【００１８】
本発明の少なくとも１つの実施例では、稼動中の基地局セットに対して生成されたＳＩＲ目標は、サイト選択ダイバーシティ転送（ＳＳＤＴ）モードの動作をサポートするために使用される。このモードでは、移動局は、特定の時間に移動局へ送信するために複数の異なる基地局のうちの１つを選択する。例えば、１つの基地局からのチャンネルが衰えつつあるとき、ＳＳＤＴモードで動作する移動局はチャンネルが衰えていない別の基地局へスイッチすることができる。ある基地局から別の基地局への移行（つまり転送通信）中に、新しい基地局のチャンネル条件は、多くの場合、前の基地局のチャンネル条件とは著しく異なる。もし前の基地局のＳＩＲ目標が新しい基地局から通信の受信に使用されれば、比較的大きなＳＩＲ目標のエラーは生じることになる。本発明の実施例に従えば、新しい基地局との通信のためにＳＩＲ目標の調整が比較的迅速に行われる。ある実施例において、移動局は、通常動作中に、候補となる各基地局のＳＩＲ目標を保持する。したがって、新しい基地局のための近似ＳＩＲ目標は、新しい基地局が選択される時の使用に利用可能である。
【００１９】
過去において、ＳＳＤＴモードで動作する移動局は、典型的には、各候補となる基地局から受信した合計電力に基づいて基地局を選択していた。しかしながら、受信機（例えばＢＬＥＲなど）の特性は受信電力の機能だけでなく、さらに他のチャンネル・パラメータの機能でもある。この事実を無視すると、より高い受信電力を有する基地局への移行という結果となり、より低い特性水準に帰着することになる。したがって、本発明の少なくとも一実施例では、移動局は、ＳＳＤＴモードでの基地局選択基準の一部として推定チャンネル・パラメータを使用して計算されるＳＩＲ目標を使用する。
【００２０】
ＣＲＣユニット２１４は、目標生成器２１６によって主基地局のためのＳＩＲ目標を生成するのに有用なほとんどあらゆるタイプのパフォーマンス情報を推定する。これは例えば、ブロック誤り率、ビット誤り率、シンボル誤り率および他のパフォーマンス基準を含む。チャンネル推定器２１０は、ＳＩＲ目標を決定するためにＳＩＲ目標生成器２１６によって使用されるチャンネル情報のほとんどあらゆる形式を推定することができる。これは、例えば、チャンネル中のパス（経路）の数、経路の強度、移動局の速度、経路減衰率、シンボルのエネルギー分散、異なるブロック・シンボル間の分散、全ブロック・エネルギーの分散および／または他のものを含む。ＳＩＲ目標生成器２１６によって使用されるチャンネル・パラメータに加えて、チャンネル推定器２１０は、さらにＷＣＤ２００内のＳＩＲ推定器２２４または他の機能によって要求される他のほとんどのチャンネル・パラメータを推定することができる。
【００２１】
ＷＣＤ２００は、さらにＳＳＤＴモード動作の一部として通信を転送するために、基地局を選択する基地局選択器２１８を含む。基地局選択器２１８は、ＳＩＲ目標生成器２１６によって生成された稼動中のセットのＳＩＲ目標２１７および／またはチャンネル推定器２１０によって提供されるチャンネル推定を受信する。基地局選択器２１８は、ＳＩＲ目標生成器２１６による使用のために基地局選択信号２１９を提供するが、その実施例は以下より詳細に説明される。基地局選択器２１８は、また基地局選択信号２１９を搬送周波数修正ユニット２０４に提供することができる。基地局選択器２１８は、また、メッセージ生成器２２８へ選択された基地局をシステム制御器へ示す際に使用するための信号を提供することができる。
【００２２】
ＷＣＤ２００は、いくつかの個別の要素を具備するものとして図示されているが、要素の１つまたはそれ以上は組み合わせることができ、デジタル信号プロセッサ（ＤＳＰ）を含むプロセッサのようなソフトウェアで形成された要素および／または他のハードウェア要素の組合せによって実施してもよい。もし特に他の方法で述べられていないならば、処理、演算、計算、決定、表示、または同種の用語は、１つまたはそれ以上の処理または計算機システムまたは同様の装置における行為、または、プロセスを指し、その装置は処理システムのレジスタ内にある物理的な（例えば、電子）量として表わされるデータを処理システムのレジスタまたはメモリ、他の情報ストレージ、送信あるいは表示装置内の物理量として同様に表わされる他のデータへ操作し変形する。
【００２３】
図３は、本発明の実施例に従ってＳＩＲ目標生成器のブロック図である。ＳＩＲ目標生成器３００は、ＳＩＲ目標生成器２１６（図２）としての使用にふさわしいが、他の装置がさらに適切であることもある。ＳＩＲ目標生成器３００は、主基地局との通信中にＳＩＲ目標値３１０を生成するための主基地局ＳＩＲ目標生成器３０２を含む。ＳＩＲ目標生成器３００は、さらにＷＣＤが主基地局と通信を行なっているときに、１またはそれ以上の基地局のための稼動セットＳＩＲ目標３０８のうちの１つを生成するために１またはそれ以上の稼動セットＳＩＲ目標生成器３０４を含む。ＳＩＲ目標生成器３０２，３０４は、チャンネル推定器２１０（図２）のようなチャンネル推定器からチャンネル推定を受信し、ある実施例において、そのチャンネル推定器は１を越えるチャンネルにチャンネル推定を提供する。例えば、チャンネル推定器は、稼動中のセットにある他の基地局とのチャンネルに対するチャンネル推定と同様に、主基地局との現在のチャンネルに対するチャンネル推定を提供する。この実施例では、チャンネル推定器２１０（図２）は、１を越える機能チャンネル推定器ユニットを含む。
【００２４】
ある実施例において、稼動中のセットＳＩＲ目標生成器３０４のただ１つが使用されてもよい。この実施例では、稼動中の単一のセットＳＩＲ目標生成器３０４は、連続する方法で稼動中のセットの様々な基地局に対するＳＩＲ目標を生成する。代替の実施例では、稼動中の１つのセットＳＩＲ目標生成器３０４は、ＳＩＲ目標が生成されるべき稼動中のセットの各基地局（あるいは所定の基地局数）のために使用される。
【００２５】
ＳＩＲ目標生成器３００は、基地局選択信号３１２を受信する管理ユニット３０６を含む。基地局選択信号３１２は、基地局選択器２１８（図２）によって提供される。ある実施例において、基地局が通信を転送するために選択されるとき、管理ユニット３０６はＳＩＲ目標値３１０として選択された基地局のＳＩＲ目標を提供する。ＳＩＲ目標を管理し使用するためのＳＩＲ目標生成器の動作は、以下より詳細に説明される（例えば、図６を参照）。
【００２６】
ある実施例において、ＳＩＲ目標生成器３０４によって生成された稼動中のセットＳＩＲ目標３０８は通信の転送用に基地局を選択するために使用されてもよい。この実施例では、基地局選択器２１８（図２）は、ＳＩＲ目標生成器３０４の１またはそれ以上から稼動セットＳＩＲ目標３０８を受信し、そして、候補となる基地局に対するＳＩＲを検討する選択基準を用いて通信を転送するために基地局を選択する。
【００２７】
図４は、本発明の実施例に従う搬送周波数修正ユニットのブロック図である。搬送周波数修正ユニット４００は、搬送周波数修正ユニット２０４（図２）としての使用に適するが、他のユニットがさらに適切なこともある。搬送周波数修正ユニット４００は、チャンネル逆拡散器４０４の出力を用いて搬送周波数測定要素４０６中で搬送周波数を測定することにより搬送周波数に対する修正を提供する。ある実施例において、ＣＤＭＡシステムのＣＰＩＣＨチャンネルのようなパイロット・チャンネルを逆拡散するが、他のチャンネルが搬送周波数測定に適することもある。搬送周波数推定は、要素４０８によって生成され、メモリ４１０に格納される。ある実施例において、搬送周波数は、稼動中の基地局セットにおける基地局のために推定される。この実施例では、チャンネル逆拡散器４０４は、基地局のためのパイロット・チャンネルをシリアルまたはシーケンシャルに逆拡散し、稼動セット中の基地局に対する搬送周波数推定がメモリ４１０に格納されることを可能にする。この実施例の中で、稼動中のセットから基地局が通信の転送のために選択されると、選択された基地局のための搬送周波数の修正はあらゆる搬送周波数オフセットの修正を考慮に入れて直ちに利用可能となる。従って、改善された通信が、通信を転送した直後に実質的に達成される。図４中に示されるように、他の逆拡散器４１２は逆拡散器２０６（図２）に対応し、必ずしも搬送周波数修正ユニット４００の一部である必要はない。アンテナ４１６はアンテナ２０２（図２）に対応し、また必ずしも搬送周波数修正ユニット４００の一部である必要はない。ある実施例において、選択された基地局のための搬送周波数の修正を選択するために、基地局選択信号４１９がユニット４００によって、基地局選択器２１８（図２）から受信される。
【００２８】
図５は、本発明の実施例に従う通信手順のフローチャートである。通信手順５００は、ＳＳＤＴモードにおける基地局との通信の一部として、ＷＣＤ２００（図２）のようなワイヤレス通信装置によって実行される。通信手順５００は、また、通信の転送のために基地局を選択する部分として、ＷＣＤ２００（図２）のようなワイヤレス通信装置によって実行される。手順５００の個々の動作は個別の動作と図示され、記述されるが、個々の動作の１またはそれ以上は同時に行なわれ、また、その動作が図示された順に行なわれる必要性はない。手順５００の様々な動作は、ソフトウェアおよび／またはファームウェアで構成され、別々には図示されていない処理要素やメモリによるのと同様にＷＣＤ２００の要素によっても実行される。
【００２９】
動作５０２では、ＷＣＤは主基地局と通信をする。ＷＣＤは、ＣＤＭＡ技術を使って通信してもよく、あるいは他の従来の通信技術に従って通信してもよい。動作５０４では、電力制御メッセージが生成される。ある実施例では、電力制御メッセージは主基地局のためのＳＩＲ推定およびＳＩＲ目標５０５に基づく。電力制御メッセージは、ＷＣＤ２００（図２）によって電力制御メッセージを生成するために以上で議論された技術に従って生成される。
【００３０】
動作５０６では、稼動中のセットの主基地局と通信をしている間、ＷＣＤは、稼動中のセットの少なくともいくつかの基地局に対する信号対干渉比（ＳＩＲ）目標値を維持する。ＳＩＲ目標は、ＳＩＲ目標生成器３００（図３）によって生成され、稼動セットＳＩＲ目標３０８（図３）に対応する。動作５０８では、搬送周波数推定は、主基地局との通信中に、稼動セットの少なくともいくつかの基地局のために生成され維持される。これらの搬送周波数推定は、メモリに格納されてもよく、搬送周波数修正ユニット４００（図４）のような搬送周波数推定器によって生成されてもよい。
【００３１】
動作５１０では、稼動中の基地局のセットから通信を転送するために基地局が選択される。動作５１０は、基地局からのチャンネルの電力レベル測定５１２、すなわちＳＮＲ測定を使用することができ、また動作５０６で生成された稼動セットＳＩＲ目標５１４を使用することもできる。動作５１０は、基地局選択器２１８（図２）のような基地局選択要素によって行なわれ、ＳＳＤＴモードにおける動作の一部として実行される。動作５１０は、信号２１９（図２）のような基地局選択信号を生成する段階を含む。
【００３２】
動作５１６において、通信は選択された基地局へ転送される。ある実施例において、選択された基地局からのＳＩＲ目標が使用される。新しい基地局へ通信を移した後に、搬送周波数は動作５０８で生成された搬送周波数推定を使用して、動作５１８で修正される。動作５２０で、ＳＩＲ目標が修正される。新しい基地局へ通信を移した後は、ＷＣＤが新しい主基地局と通信を行い、動作５０２〜動作５２０が繰り返される。ある実施例において、電力制御メッセージは、選択された基地局のために維持されたＳＩＲ目標に基づき、エラー情報が生成されるのを待つことなしに、通信を移した直後に送られるより正確な電力制御メッセージを許容する。
【００３３】
図６は、本発明の実施例に従ってＳＩＲ目標を管理するための手順のフローチャートである。手順６００はＳＩＲ目標生成器３００（図３）によって行なわれるが、他の装置が手順６００を実行するのにふさわしいこともある。手順６００は、ＳＩＲ目標が稼動中のセットのすべての基地局のために絶えず更新される手順５００（図５）における動作のいくつかの代替として実行されてもよい。手順６００がＳＩＲ目標生成器３００によって行なわれる実施例を説明する。動作６０２では、主基地局ＳＩＲ目標生成器３０２がＳＩＲ目標を生成する。ＳＩＲ目標はあらゆるＳＩＲ目標生成技術も使用して生成され、ＣＲＣ２１４（図２）からのＣＲＣ入力およびチャンネル推定器２１０（図２）からのチャンネル推定を使用する。動作６０２の一部として、主基地局のＳＩＲ目標生成器３０２は、すでに議論されたように装置２００（図２）で使用されるＳＩＲ目標出力３１０を生成する。動作６０４では、主基地局のＳＩＲ目標生成器３０２は瞬時のＳＩＲ目標を生成し、また、動作６０６では、主基地局のＳＩＲ目標生成器３０２は、瞬時のＳＩＲ目標を格納するためにメモリ３０３を使用する。動作６０８では、基地局選択入力３１２は、基地局選択器２１８（図２）から受信される。基地局選択入力は、新しい主基地局になる基地局を稼動セットから識別する。
【００３４】
基地局選択入力が動作６０８で受信されないとき、基地選択入力が受信されるまで、管理ユニット３０６は待機する。この間、ＳＩＲ目標の出力は、ワイヤレス通信装置２００（図２）の通常動作の一部として、主基地局ＳＩＲ目標生成器３０２によっていままでどおり生成される。この実施例では、新しい基地局が選択されるまで、動作６１０が実行されないことに注目すべきである。
【００３５】
動作６１０において、管理ユニット３０６は、メモリ３０３の記憶内容を、選択された基地局のための通信状態パラメータに置き換える。記憶内容は瞬間のＳＩＲ目標および／またはチャンネル推定を含む。動作６１０は多くの方法で行なうことができる。
【００３６】
例えば、ある実施例において、管理ユニット３０６は古い主基地局の通信状態パラメータを（例えばメモリ３０３から）取り、選択された稼動基地局のためにメモリ（例えばメモリ３０５の１つ）にパラメータを格納する。管理ユニット３０６は、さらに、新しい選択された基地局に（例えばメモリ３０５のうちの１つから）関連した通信状態パラメータを取り、主基地局ＳＩＲ目標生成器３０２による使用のためにメモリ３０３にその通信状態パラメータを格納することができる。このように、主基地局のＳＩＲ目標生成器３０２は、新しい基地局のための通信状態パラメータで動作することができる。
【００３７】
別の実施例では、主基地局のＳＩＲ目標生成器のメモリ（例えばメモリ３０３）に通信状態パラメータを入れる前に、管理ユニット３０６は稼動セットのメモリからのデータの更新を一度行なう。この更新はそのデータの最後の更新以降の時間経過を反映するために行われる。この更新は、また、前回時にその管理ユニットにためにどんな情報が利用可能であったのか、例えばチャンネル推定、古い主基地ＳＩＲ目標など、を反映するために行われる。
【００３８】
動作６１０の完了に際して、手順６００の動作は繰り返される。手順６００の反復中は、稼動中のセットから選択された基地局は現在の主基地局（例えば、動作６０２において）であり、また、以前の主基地局は、現在の稼動中のセット（例えば動作６０４および６０６のため）の基地局のうちの１つとなる。
【００３９】
図７は、本発明の実施例に従うＳＩＲ目標管理を図示する。ＳＩＲ目標管理７００は、装置２００（図２）のようなワイヤレス通信装置の中で使用されるＳＩＲ目標生成器３００（図３）の様々な要素によって実行される。主基地ＳＩＲ目標生成器７０２は、ＳＩＲ目標７０３を生成する従来のあらゆるＳＩＲ目標生成方法を使用することができる。主基地ＳＩＲ目標生成器７０２は、例えば、ＣＲＣおよびチャンネル推定７０１を使用する。主基地のＳＩＲ目標生成器７０２は、さらに瞬時のＳＩＲ目標を格納するためにメモリ７０４を使用する。新しい主基地局が選択されるごとに、管理ユニット７０６は稼動メモリの内容を選択された基地局データのためのデータに置き換える。例えば、これは、２つの方法のうちの１つで行われる。ある実施例において、管理ユニット７０６は単に古い主基地局データを（例えばメモリ７０４から）取り、稼動基地局メモリ（例えばメモリ７０８の１つ）にそれを格納する、そして新しく選択された基地局に（メモリ７０８の１つから）適切なデータを取り、主基地目標生成器メモリ（例えばメモリ７０４）にそれを格納する、その結果ＳＩＲ目標生成器７０２は、新しい基地局データで動作する。
【００４０】
別の実施例において、それはＳＩＲ目標生成器メモリ（例えばメモリ７０４）にデータを入れる前に一度、管理ユニット７０６が稼動セット・メモリ（例えばメモリ７０８の１つ）からのデータの更新を行なう以外は類似する。この更新は、データの最後の更新以降の経過時間、および、特定の時間に管理ユニットのためにどんな情報が利用可能であるかを反映するために行われる。例えば、チャンネル推定、古い主基地ＳＩＲ目標などは異なることがあり、更新することができる。
【００４１】
従って、改善されたワイヤレス通信は達成される。維持されたＳＩＲ測定が基地局選択に使用されるので、よりよいエラー・パフォーマンスを有する基地局が通信の転送のために選択される。更に、通信状態パラメータが通信を転送した後に使用されてもよいので、改善された通信が通信を転送した後により速く達成される。
【００４２】
特定の実施例に対する前述の説明は、本発明の一般的な性質を十分に開示し、他のものは、現在の知識を適用することによって、一般的な概念から逸脱せずに、様々なアプリケーションに容易にそれを修正しまた適応させることができる。したがって、そのような適応および修正は、開示された実施例の均等の意義および範囲内にある。ここに使用された語法または用語は、制限的にではなく説明のためにある。従って、本発明は、添付された請求項の精神および範囲内にある、代替、修正、均等および変形をすべて包含するものである。
【図面の簡単な説明】
【００４３】
【図１】本発明の実施例が実施される動作環境を図示する。
【図２】本発明の実施例に従うワイヤレス通信装置のブロック図である。
【図３】本発明の実施例に従うＳＩＲ目標生成器のブロック図である。
【図４】本発明の実施例に従う搬送周波数修正ユニットのブロック図である。
【図５】本発明の実施例に従う通信手順のフローチャートである。
【図６】本発明の実施例に従うＳＩＲ目標を管理する手順のフローチャートである。
【図７】本発明の実施例に従うＳＩＲ目標管理の実例である。
【図１】
2005513857.tif 000003
【図２】
2005513857.tif 000004
【図３】
2005513857.tif 000005
【図４】
2005513857.tif 000006
【図５】
2005513857.tif 000007
【図６】
2005513857.tif 000008
【図７】
2005513857.tif 000009
【国際調査報告】
2005513857.tif 000010
2005513857.tif 000011
2005513857.tif 000012